(57)【要約】【課題】ワイアレス通信システムにおいて基地局ＡＣＫ／ＮＡＫメッセージ送信出力を調節するための方法及び装置。【解決手段】ワイアレス・ネットワーク（１００）内の基地局（ＢＳ）（１１０）は、移動通信装置（ＭＣＤ）（１１４）からパケット・データの受領を通知するメッセージを送信するための出力レベルを設定する。１つの実施において、ＢＳは、ＭＣＤからの次の通信が新しいパケット・データを具備するかどうか（３０６，３１６）、及びデータが再送信データを具備するかどうか（３１０，３２０）を考慮することによって、ＭＣＤが所定の受領通知メッセージを受信したかどうかを推定する。ＢＳは、ＭＣＤが過去の受領通知メッセージを受信したかどうかにしたがって今後の受領通知メッセージに対する送信出力レベルを調節する（３１２，３１４，３２２，３２４）。別の実施において、サービスしている基地局から所定のＭＣＤへの実際の／推定された送信出力は、平均化され（４０４）、目標レベルをもたらすために予め規定された量だけ増加される（４０６）。サービスしていない基地局がＭＣＤからのパケット・データの受領を通知するメッセージを送信する時はいつでも、サービスしていない基地局は、目標レベルで送信する（４０８）。【選択図】図３
2007502052.tif 000002
【特許請求の範囲】
【請求項１】
基地局の送信出力レベルを調節するための方法であって、該基地局は移動通信装置（ＭＣＤ）からパケット・データの受領を通知するメッセージを送信し、該方法は下記を具備する：
第１のパケット・データをＭＣＤから受信することに応答して該ＭＣＤに受領通知メッセージを送信すること；
ＭＣＤから基地局により受信される次の通信が該ＭＣＤによって送信された第１のパケット・データの再送信である第２のパケット・データを含むか又は新しいパケット・データを含むかどうかに基づいて、受領通知メッセージが該ＭＣＤによって正確に受信されたかどうかを決定すること；及び
送信された受領通知メッセージがＭＣＤによって正確に受信されたかどうかを決定することに基づいて、該ＭＣＤに送信される今後の受領通知メッセージに関する基地局の送信出力レベルを調節すること。
【請求項２】
請求項１の方法、ここにおいて、前記送信出力レベルを調節することは、下記を具備する：
第２のパケット・データがＭＣＤによって送信された第１のパケット・データの再送信であったことを決定することに応答して該ＭＣＤに送信される今後の受領通知メッセージに対して第１の量だけ基地局の送信出力レベルを増加させること。
【請求項３】
請求項１の方法、ここにおいて、前記送信出力レベルを調節することは、下記を具備する：
新しいパケット・データがＭＣＤによって送信されたことを決定することに応答して該ＭＣＤに送信される今後の受領通知メッセージに対して第２の量だけ基地局の送信出力レベルを減少させること。
【請求項４】
請求項１の方法、ここにおいて、前記送信出力レベルを調節することは、下記を具備する：
新しいパケット・データがＭＣＤによって送信されたことを決定することに応答して該ＭＣＤに送信される今後の受領通知メッセージに関する基地局の送信出力レベルの調節を防止すること。
【請求項５】
請求項１の方法であって、下記を具備する：
基地局がＭＣＤから送信された第１のパケット・データを受信しなかったことに応答して該ＭＣＤに否定的受領通知（ＮＡＫ）メッセージを送信すること；
ＭＣＤにＮＡＫメッセージを送信することに引き続いて、第３のパケット・データが該ＭＣＤから基地局により受信されているかどうかを決定すること；及び
第３のパケット・データがＭＣＤから基地局によって何も受信されなかったことを決定することに応答して該ＭＣＤに送信される今後の受領通知メッセージに対して第１の量だけ基地局の送信出力レベルを増加させること。
【請求項６】
請求項５の方法、ここにおいて、前記第３のパケット・データが基地局により受信されているかどうかを決定することは、下記を具備する：
ＭＣＤにＮＡＫメッセージを送信することに引き続いて、新しいパケット・データが該ＭＣＤから基地局により受信されているかどうかを決定すること；及び
新しいパケット・データがＭＣＤから基地局によって送信されていることを決定することに応答して該ＭＣＤに送信される今後の受領通知メッセージに対して第１の量だけ基地局の送信出力レベルを増加させること。
【請求項７】
請求項６の方法であって、下記を具備する：
新しいパケット・データがＭＣＤから基地局によって何も送信されていないことを決定することに応答して該ＭＣＤに送信される今後の受領通知メッセージに関する基地局の送信出力レベルの調節を防止すること。
【請求項８】
基地局の送信出力レベルを調節するための装置であって、該基地局は移動通信装置（ＭＣＤ）からのパケット・データの受領を通知するメッセージを送信し、該装置は下記を具備する：
第１のパケット・データをＭＣＤから受信することに応答して該ＭＣＤに受領通知メッセージを送信するための手段；
ＭＣＤから基地局により受信される次の通信が該ＭＣＤによって送信された第１のパケット・データの再送信である第２のパケット・データを含むか又は新しいパケット・データを含むかどうかに基づいて、受領通知メッセージが該ＭＣＤによって正確に受信されたかどうかを決定するための手段；及び
送信された受領通知メッセージがＭＣＤによって正確に受信されたかどうかを決定することに基づいて、該ＭＣＤに送信される今後の受領通知メッセージに関する基地局の送信出力レベルを調節するための手段。
【請求項９】
請求項８の装置、ここにおいて、送信出力レベルを調節するための前記手段は、下記を具備する：
第２のパケット・データがＭＣＤによって送信された第１のパケット・データの再送信であったことを決定することに応答して該ＭＣＤに送信される今後の受領通知メッセージに対して第１の量だけ基地局の送信出力レベルを増加させるための手段。
【請求項１０】
請求項８の装置、ここにおいて、送信出力レベルを調節するための前記手段は、下記を具備する：
新しいパケット・データがＭＣＤによって送信されたことを決定することに応答して該ＭＣＤに送信される今後の受領通知メッセージに対して第２の量だけ基地局の送信出力レベルを減少させるための手段。
【請求項１１】
請求項８の装置、ここにおいて、送信出力レベルを調節するための前記手段は、下記を具備する：
新しいパケット・データがＭＣＤによって送信されたことを決定することに応答して該ＭＣＤに送信される今後の受領通知メッセージに関する基地局の送信出力レベルの調節を防止するための手段。
【請求項１２】
請求項８の装置であって、下記を具備する：
基地局がＭＣＤから送信された第１のパケット・データを受信しなかったことに応答して該ＭＣＤに否定的受領通知（ＮＡＫ）メッセージを送信するための手段；
ＭＣＤにＮＡＫメッセージを送信することに引き続いて、第３のパケット・データが該ＭＣＤから基地局により受信されているかどうかを決定するための手段；及び
第３のパケット・データがＭＣＤから基地局によって何も受信されなかったことを決定することに応答して該ＭＣＤに送信される今後の受領通知メッセージに対して第１の量だけ基地局の送信出力レベルを増加させるための手段。
【請求項１３】
請求項１２の装置、ここにおいて、第３のパケット・データが基地局により受信されているかどうかを決定するための前記手段は、下記を具備する：
ＭＣＤにＮＡＫメッセージを送信することに引き続いて、新しいパケット・データが該ＭＣＤから基地局により受信されているかどうかを決定するための手段；及び
新しいパケット・データがＭＣＤから基地局によって受信されていることを決定することに応答して該ＭＣＤに送信される今後の受領通知メッセージに対して第１の量だけ基地局の送信出力レベルを増加させるための手段。
【請求項１４】
請求項１３の装置であって、下記を具備する：
新しいパケット・データがＭＣＤから基地局によって何も受信されていないことを決定することに応答して該ＭＣＤに送信される今後の受領通知メッセージに関する基地局の送信出力レベルの調節を防止するための手段。
【請求項１５】
移動通信装置（ＭＣＤ）からのパケット・データの受領を通知するメッセージを送信するための基地局であって、該基地局は下記を具備する：
第１のパケット・データをＭＣＤから受信することに応答して該ＭＣＤに受領通知メッセージを送信するための送信機；
ＭＣＤから基地局により受信される次の通信が該ＭＣＤによって送信された第１のパケット・データの再送信である第２のパケット・データを含むか又は新しいパケット・データを含むかどうかに基づいて受領通知メッセージが該ＭＣＤによって正確に受信されたかどうかを決定するため、及び該送信された受領通知メッセージがＭＣＤによって正確に受信されたかどうかを決定することに基づいて該ＭＣＤに送信される今後の受領通知メッセージに関する基地局の送信出力レベルを調節するためのコントローラ。
【請求項１６】
請求項１５の基地局、ここにおいて、前記コントローラは、第２のパケット・データがＭＣＤによって送信された第１のパケット・データの再送信であったことを決定することに応答して該ＭＣＤに送信される今後の受領通知メッセージに対して第１の量だけ基地局の送信出力レベルを増加させる。
【請求項１７】
請求項１５の基地局、ここにおいて、前記コントローラは、新しいパケット・データがＭＣＤによって送信されたことを決定することに応答して該ＭＣＤに送信される今後の受領通知メッセージに対して第２の量だけ基地局の送信出力レベルを減少させる。
【請求項１８】
ワイアレス通信装置であって、該装置は下記を具備する：
少なくとも１つの移動通信装置（ＭＣＤ）；
ＭＣＤからのパケット・データの受領を通知するメッセージを送信するための少なくとも１つの基地局；
該少なくとも１つの基地局は、下記を具備する：
第１のパケット・データをＭＣＤから受信することに応答して該ＭＣＤに受領通知メッセージを送信するための送信機；
ＭＣＤから基地局により受信される次の通信が該ＭＣＤによって送信された第１のパケット・データの再送信である第２のパケット・データを含むか又は新しいパケット・データを含むかどうかに基づいて受領通知メッセージが該ＭＣＤによって正確に受信されたかどうかを決定するため、及び該送信された受領通知メッセージがＭＣＤによって正確に受信されたかどうかを決定することに基づいて該ＭＣＤに送信される今後の受領通知メッセージに関する基地局の送信出力レベルを調節するためのコントローラ。
【請求項１９】
請求項１８のワイアレス通信システム、ここにおいて、前記コントローラは、第２のパケット・データがＭＣＤによって送信された第１のパケット・データの再送信であったことを決定することに応答して該ＭＣＤに送信される今後の受領通知メッセージに対して第１の量だけ基地局の送信出力レベルを増加させる。
【請求項２０】
請求項１８のワイアレス通信システム、ここにおいて、前記コントローラは、新しいパケット・データがＭＣＤによって送信されたことを決定することに応答して該ＭＣＤに送信される今後の受領通知メッセージに対して第２の量だけ基地局の送信出力レベルを減少させる。
【発明の詳細な説明】
【技術分野】
【０００１】
本発明は、一般にワイアレス通信システムに係わる。特に、本発明は、ワイアレス通信システムにおいて基地局送信出力を調節するための方法及び装置に関する。
【背景技術】
【０００２】
ディジタル・ワイアレス通信ネットワークにおいて、移動局は、広い地理的な地域にわたって分散されている基地局と音声データ及びパケット・データを交換する。音声データは、音声電話通話に関係し、パケット・データは、インターネットをサーフィングすること、電子メールを配信すること、及びその他に含まれているメッセージに関係する。さらに、テキスト・メッセージ（例えば、“ショート・メッセージ送信サービス”）を送ることと同様に各種のその他のサービスを扱うチャネルがある。
【０００３】
この情報交換は、ワイアレス通信ネットワークの種々の異なる順方向リンク・チャネル及び逆方向リンク・チャネルを介して管理される。各チャネルは、物理的パラメータ及び論理的パラメータの組み合わせによって規定される。順方向リンクは、基地局から移動局への通信に係わり、逆方向リンクは、反対方向の通信に係わる。ＣＤＭＡ−２０００の複数のリリース（公表物：release）のような、ある種のアーキテクチャのネットワークにおいて、各移動局は、“サービスしている（serving）”基地局と呼ばれる１つの基地局から順方向リンク・パケット・データを受信する。しかしながら、移動局は、範囲内の複数の基地局に逆方向リンク・パケット・データを送信する。各々の向けられた基地局、すなわち、移動体の“アクティブ・セット（active set）”の中にあるこれらの基地局のそれぞれは、移動局から逆方向リンク・データを正確に受信した後で肯定的受領通知メッセージ（positive acknowledgement）（ＡＣＫ）を用いて、若しくは移動局からエラーのある逆方向リンク・データを受信した後で否定的受領通知（negative acknowledgement）（ＮＡＫ）を用いてデータを別々に受領通知する。
【０００４】
このＡＣＫ／ＮＡＫメッセージに対する送信出力レベルを設定することは、固有の問題であることがある。ＡＣＫ／ＮＡＫメッセージに対する送信レベルが高すぎるのであれば、基地局は、不必要に電力を浪費し、さらに、断ち切る（bleed-over）ことにより又はその他の干渉により他の無関係の通信を劣化させる危険にさらす。逆に、ＡＣＫ／ＮＡＫメッセージに対する送信レベルが低すぎるのであれば、移動局は、正確にそれを受信しないことがあり、基地局に誤った応答を提出することにより、ＡＣＫ／ＮＡＫに対して移動局が適切でない応答をさせるようにする。このある種の望ましくない結果は、移動局の限られた電池電力をより多く消費すること、逆方向リンク能力を浪費すること、及び通信待ち時間を増加させることを含む。
【０００５】
サービスしている基地局において受信された逆方向リンク・パケット・データ通信の場合には、ＡＣＫ／ＮＡＫメッセージに対する送信出力レベルを設定することは、一般的に容易である。すなわち、メッセージ・プロトコルは、複数の移動体が自身のサービスしている基地局にチャネル品質メッセージを送ることを命令する。ＣＤＭＡ−２０００アーキテクチャでは、このメッセージは、逆方向リンク・チャネル品質インディケータ・チャネル（reverse link channel quality indicator channel）（Ｒ-ＣＱＩＣＨ）上で送られる。チャネル品質メッセージは、サービスしている基地局から移動局への順方向リンク・チャネル品質を評価する。そのようにして、サービスしている基地局は、フィードバックとしてのその移動体からのチャネル品質メッセージを利用することによって所与の移動体へのＡＣＫ／ＮＡＫメッセージの送信出力レベルを容易に選択することが可能である。
【０００６】
しかしながら、サービスしていない基地局に関して、そのようなフィードバックはない。サービスしている基地局だけが、移動局に順方向リンク・パケット・データを提供する。したがって、移動局は、サービスしている基地局に順方向リンク・チャネル品質データを提供するだけである。しかも、サービスしていない基地局は、複数の移動体から逆方向リンク・パケット・データを継続して受信し、そのような受領を通知する。そのようにして、サービスしていない基地局は、“目隠し状態”で自身のＡＣＫ／ＮＡＫメッセージの送信出力を設定する。出力レベルが過剰になるように変化するのであれば、基地局は、不必要に電力を浪費し、さらに断ち切ることにより又はその他の干渉により他の無関係な通信を劣化させる危険にさらす。もし、ＡＣＫ／ＮＡＫ送信レベルが低すぎるのであれば、移動局は、正確にそれを受信しないことがあり、そのような場合には移動体は、基地局が実際に送信したＡＣＫ／ＮＡＫメッセージに対して不適切である応答を基地局に送ることがある。これは、望ましくなく移動局の限られた電池電力をより多く消費し、逆方向リンク能力を浪費し、そして通信待ち時間を増加させる。
【発明の開示】
【０００７】
［サマリー］
本発明の１態様において、移動通信装置（ＭＣＤ）からのパケット・データの受領を通知するメッセージを送信する基地局の送信出力レベルを調節するための方法が、提供される。本方法は、そこから第１のパケット・データを受信することに応答してＭＣＤに受領通知メッセージを送信することを含む。ＭＣＤから基地局により受信される次の通信がＭＣＤによって送信された第１のパケット・データの再送信である第２のパケット・データを含むか又は新しいパケット・データを含むかどうかに基づいて、受領通知メッセージがＭＣＤによって正確に受信されたかどうかを決定することを含む。基地局の送信出力レベルは、送信された受領通知メッセージがＭＣＤによって正確に受信されたかどうかを決定することに基づいて、ＭＣＤに送信される今後の受領通知メッセージに関して調節される。
【０００８】
本発明の別の１つの態様において、基地局の送信出力レベルを調節するための装置が提供される。基地局は、移動通信装置（ＭＣＤ）からのパケット・データの受領を通知するメッセージを送信する。装置は、そこから第１のパケット・データを受信することに応答してＭＣＤに受領通知メッセージを送信するための手段、及びＭＣＤから基地局により受信される次の通信がＭＣＤによって送信された第１のパケット・データの再送信である第２のパケット・データを含むか又は新しいパケット・データを含むかどうかに基づいて、受領通知メッセージがＭＣＤによって正確に受信されたかどうかを決定するための手段を含む。装置は、送信された受領通知メッセージがＭＣＤによって正確に受信されたかどうかを決定することに基づいて、ＭＣＤに送信される今後の受領通知メッセージに関する基地局の送信出力レベルを調節するための手段をさらに含む。
【０００９】
［詳細な説明］
本発明の本質、目的、及び利点は、添付された図面とともに以下の詳細な説明を斟酌した後で当業者にさらに明確になるであろう。
【００１０】
本明細書は、その他の複数の構成要素の中で、種々の基地局及び複数の移動通信装置を用いるワイアレス通信ネットワークの関係において記載される。複数の基地局及び移動通信装置は、各種のパケット・データを交換し、そして同様にネットワーク・アーキテクチャに応じて音声通信も交換できる。各移動通信装置に関して、１つのサービスしている基地局と、ネットワーク中のその他の基地局への移動通信装置の近さに応じてゼロ、１つ、又はそれより多くのサービスしていない基地局がある。各サービスしていない基地局は、移動通信装置からパケット・データの受領を通知するメッセージを送信するための出力レベルを設定するためのある種の技術を使用する。
【００１１】
図１は、ワイアレス通信ネットワーク１００の単純化したブロック図を図示する。１つの実施形態では、ネットワーク１００は、ＣＤＭＡ−２０００／ＩＳ−２０００（リリースＣ）ネットワーク、１ｘＥＶ−ＤＯとも呼ばれる、として与えられることができる。このタイプのネットワークは、例えば、電子メールを受信するため、インターネットをブラウズするため、及びその他のディジタル・データを交換するために移動通信装置のための有用な施設を含む。その上、ネットワーク１００は、ＴＩＡ規格ＩＳ−９５又はＩＳ−２０００にしたがった音声タイプのワイアレス・セルラ電話通信を管理するために利用されることができる。ＩＳ−９５及びＩＳ−２０００規格は、コード分割多元アクセス（ＣＤＭＡ）変調技術を利用して、以前のワイアレス電気通信技術より大きな能力及びよりエラーに強い性能を有するワイアレス音声通話を管理する。
【００１２】
ネットワーク１００は、種々の移動通信装置（ＭＣＤ）１１４を含む、その各々は、ＣＤＭＡ互換性のあるワイアレス電話機、ＩＳ−８５６タイプの高データ・レート（ＨＤＲ）加入者局、又はその他の適切な装置を具備することができる。移動通信装置１１４は、種々の基地局と通信する。本例における基地局は、サービスしている基地局１１０及びサービスしていない基地局１１２を含む。基地局１１０，１１２は、移動通信装置１１４と音声データ・コンテント及び／又はパケット・データ・コンテントを交換する。
【００１３】
ワイアレス音声電話の関係において、電話呼び出し及びその他の音声通信は、高周波（radio frequency）（ＲＦ）チャネルを介して移動通信装置１１４と基地局１１０，１１２との間でデータを交換することによって実施される。基地局は、同様に、移動通信装置１１４とその他のタイプの情報を交換する、例えば、通話ページング・メッセージ、開始メッセージ、登録メッセージ、パイロット信号報告、及びその他のディジタル・データのようなものである。
【００１４】
非音声の関係では、パケット・データ通信は、インターネット・プロトコル（ＩＰ）のパケット・データを交換することにより、若しくはインターネットに中継するために又は共同（corporate）ネットワークのような複数のその他のパケット・データ・ネットワーク（図示せず）に中継するために移動通信装置１１４と基地局１１０，１１２との間でその他の適切なフォーマットにすることによって実施される。パケット・データの複数の例は、次のようなアプリケーションに対して使用されるＩＰデータグラムを含む。そのアプリケーションは、ウェブ・ページにアクセスすること、電子メールを取り出すこと、及びその他である。そのようなパケット・データ・アプリケーションは、装置１１４上で直接ランすることができる、又はワイアレス・モデムとして移動通信装置１１４を使用する別のコンピュータ装置上でランすることができる。
【００１５】
ネットワークの（基地局１１０，１１２のような）基地局のあるもの又は全ては、今日商業的に使用されている従来型の基地局により使用されるものようなハードウェアを使用して与えられることができる。各基地局１１０，１１２は、基地局コントローラ（ＢＳＣ）１０６に接続される。ＢＳＣ１０６は、基地局１１０，１１２と各種のその他の施設１５０（下記に説明される）との間の双方向情報の流れを管理する。ＢＳＣ１０６は、移動体通信が行うことを可能にする種々の機能を実行し、複数の基地局間における移動通信装置１１４のハンドオフをうまく調整することを含む。ＣＤＭＡ−２０００アーキテクチャのネットワークにおいて、ＢＳＣ１０６は、基地局とＩＰデータ・パケットを交換するためのパケット制御機能（packet control function）（ＰＣＦ）モジュールを提供することによってデータ相互交換を容易にする。ＢＳＣ１０６は、一例として、今日商業的に使用されている従来型のワイアレス・ネットワークによって使用されるハードウェアのようなハードウェアを使用して与えられることができる。
【００１６】
上記されたように、ＢＳＣ１０６は、基地局１１０，１１２とその他の施設１５０との間の情報を管理する。音声通話及びその他のＩＳ−９５データを処理することの使用に関して、これらのその他の施設１５０は、移動体交換センタ（mobile switching center）（ＭＳＣ）、携帯電話機中継局（mobile telephone switching office）（ＭＴＳＯ）、等のような構成要素を含むことができる。例えば、ＭＳＣ構成要素は、ＢＳＣ１０６と公衆交換電話ネットワーク（public switched telephone network）（ＰＳＴＮ）との間の音声ストリーム情報を中継する。ＭＳＣは、同様に、可動性制御、通話処理、及び通話転送機能を提供するために動作する。パケット・データ情報を処理することの使用に関して、その他の施設１５０は、１つ又はそれより多くの外部媒介物（foreign agent）、インターネット、１つ又はそれより多くの内部媒介物（home agent）、及びＣＤＭＡ−２０００又は与えられたその他のアーキテクチャに対して適切なその他の構成要素のような構成要素を含むことがある。
【００１７】
図１に図示されたように、基地局１１２は、種々の下位構成要素を含む。これは、同様に、基地局１１０及びワイアレス通信ネットワーク１００内部のその他の基地局（図示せず）の構成を現すことができる。具体的に、基地局１１２は、トランシーバ１１２ａ、プロセッサ１１２ｂ、モデム１１２ｃ、記憶装置１１２ｄ、及びアンテナ・アセンブリ１１２ｅ（“アンテナ”）を含む。
【００１８】
アンテナ・アセンブリ１１２ｅは、移動通信装置１１４とワイアレス情報を交換するために１つ又はそれより多くのアンテナを含む。アンテナ・アセンブリ１１２ｅに接続されたトランシーバ１１２ａは、アンテナ・アセンブリ１１２ｅによって同報通信するための電気的信号を変調するため、アンテナ・アセンブリ１１２ｅによって受信された信号を復調するための回路系を具備する。
【００１９】
モデム１１２ｃは、基地局１１２とＢＳＣ１０６との間の通信を管理するためのインターフェースを具備する。モデム１１２ｃは、電話モデム、インテリジェント通信チャネル、有線／ケーブル／バス、光ファイバリンク、変調器／復調器、ＬＡＮ／ＷＡＮカード又はその他のネットワーク・カード、ＤＳＬモデム、ワイアレス・モデム、若しくはその他の適切な通信インターフェースを具備することができる。
【００２０】
プロセッサ１１２ｂは、トランシーバ１１２ａ及びモデム１１２ｃの動作を管理するディジタル・データ処理装置を具備する。プロセッサ１１２ｂは、図２に図示されたハードウェアのような、各種のハードウェアにより与えられることができる。プロセッサ１１２ｂは、プロセッサ１１２ｂを実行させる方式に応じて、記憶装置１１２ｄに接続される、又はプロセッサ１１２ｂ内部にそのような記憶装置１１２ｄを組み込むことができる。記憶装置１１２ｄは、回路メモリ、磁気ディスク記憶装置、磁気テープ、ＣＤ／ＤＶＤのような光記憶装置、フロッピ・ディスク、ＲＯＭ／ＰＲＯＭ／ＥＰＲＯＭ／ＥＥＰＲＯＭ、等を具備できる。
【００２１】
構成要素１１０，１１２，１１２ｂ，１１２ｃ，１１２ａ，１１４，１０６（図１）のようなデータ処理エンティティ（entity）、及びその下位構成要素は、種々の形式で与えられることができる。一例は、図２のディジタル・データ処理装置２００のハードウェア構成要素及び相互結線により例示されるように、ディジタル・データ処理装置である。
【００２２】
装置２００は、記憶装置２０４に接続された、マイクロプロセッサ、パーソナル・コンピュータ、ワークステーション、コントローラ、マイクロコントローラ、ステート・マシン、又はその他の処理機器のようなプロセッサ２０２を含む。この例では、記憶装置２０４は、高速アクセス記憶装置２０６、同様に不揮発性記憶装置２０８を含む。高速アクセス記憶装置２０６は、ランダム・アクセス・メモリ（random access memory）（“ＲＡＭ”）を具備することができ、そして、プロセッサ２０２によって実行されるプログラミング命令を記憶するために使用されることができる。不揮発性記憶装置２０８は、例えば、電池バックアップのＲＡＭ、ＥＥＰＲＯＭ、フラッシュＰＲＯＭ、“ハード駆動装置”のような１つ又はそれより多くの磁気データ記憶ディスク、テープ駆動装置、又はいずれかのその他の適切な記憶装置、を具備することができる。装置２００は、同様に、回線、バス、ケーブル、電磁リンク、チャネル、インターフェース、若しくは装置２００の外部へのその他のハードウェアとデータを交換するためのプロセッサ２０２のためのその他の手段のような、入力／出力２１０を含む。
【００２３】
特定のこれまでの説明に関係なく、（本明細書の利益を受ける）当業者は、上記に説明された装置が、本発明の範囲から逸脱することなく、異なる構成の機器の中に与えられることができることを、理解する。特定の一例として、構成要素２０６，２０８の１つは、削除されることができる。さらに、記憶装置２０４，２０６及び／又は２０８は、プロセッサ２０２に搭載型で与えられることができる、又は装置２００の外付けで与えられることさえできる。
【００２４】
上記に説明されたディジタル・データ処理装置とは対照的に、本発明の別の実施形態は、上記に述べられたもののような各種の処理エンティティを与えるためにコンピュータで実行される命令の代わりに論理回路を使用する。速度の分野、経費の分野、機器価格の分野、及びその他の分野におけるアプリケーションの固有の要求に依存して、この論理回路は、数千の小さな集積されたトランジタを有する用途特定集積回路（application specific integrated circuit）（ＡＳＩＣ）を製作することによって与えられることができる。そのようなＡＳＩＣは、ＣＭＯＳ，ＴＴＬ，ＶＬＳＩ、又はその他の適切な構成を用いて与えられることができる。その他の代案は、ディジタル・シグナル・プロセシング・チップ（digital signal processing chip）（ＤＳＰ）、個別回路（例えば、抵抗器、キャパシタ、ダイオード、インダクタ、及びトランジスタ）、フィールド・プログラマブル・ゲート・アレイ（field programmable gate array）（ＦＰＧＡ）、プログラマブル・ロジック・アレイ（programmable logic array）（ＰＬＡ）、プログラマブル論理装置（programmable logic device）（ＰＬＤ）、及びその他を含む。
【００２５】
各種の構造的な特徴を説明してきたが、本発明の複数の動作上の態様が、次に説明される。上記したように、本発明の１つの動作上の態様は、移動体の逆方向リンク・パケット・データ送信を受領通知するメッセージを送信するために使用する出力を自己調節するサービスしていない基地局の動作を含む。
【００２６】
本発明のいずれかの機能が１つ又はそれより多くの機器が実行するプログラム・シーケンスを使用して与えられる場合はいつでも、そのようなシーケンスは、各種の形式の信号を伝える（signal- bearing）媒体において具体化されることができる。図２の関係では、そのような信号を伝える媒体は、記憶装置２０４又は、例えば、プロセッサ２０２によって直接的に又は間接的にアクセス可能な磁気データ記憶ディスケットのような別の１つの信号を伝える媒体を具備することができる。記憶装置２０６、ディスケット、又はその他のどの場所に含まれているかに拘らず、命令は、種々の機械読み取り可能なデータ記憶媒体に記憶されることができる。ある複数の例は、直接アクセス記憶装置（例えば、従来型の“ハード駆動装置”、廉価なディスクの冗長アレイ（“ＲＡＩＤ”）、又は別の１つの直接アクセス記憶装置（”ＤＡＳＤ“））、磁気テープ又は光テープのような逐次アクセス記憶装置、電気的不揮発性メモリ（例えば、ＲＯＭ，ＥＰＲＯＭ，フラッシュＰＲＯＭ，又はＥＥＰＲＯＭ）、電池バックアップＲＡＭ，光記憶装置（例えば、ＣＤ−ＲＯＭ，ＷＯＲＭ，ＤＶＤ，ディジタル光テープ）、紙“パンチ”・カード、若しくはアナログ送信媒体又はディジタル送信媒体並びにアナログ・リンクと通信リンク及びワイアレス通信を含むその他の適切な信号を伝える媒体を含む。本発明の実例となる実施形態では、機械読み取り可能な命令は、ソフトウェア・オブジェクト・コードを具備することができ、アセンブリ言語、Ｃ言語、等の言語からコンパイルされる。
【００２７】
上記に説明された信号を伝える媒体とは対照的に、本発明のあるもの又は全ての機能性は、命令を実行するためにプロセッサを使用する代わりに、論理回路系を使用して与えられることができる。そのような論理回路系は、それゆえ、本発明の方法態様を遂行する動作を実行するように構成される。論理回路系は、上記に記載されたように、複数の異なるタイプの回路系を使用して与えられることができる。
【００２８】
上に述べられたように、本発明の１つの動作上の態様は、サービスされていない移動通信装置からのパケット・データの受領を通知するメッセージを送信するための出力レベルを設定するための基地局による行為を包含する。この動作上の態様の説明を手助けするために、移動通信装置１１４とそのサービスしている基地局１１０との間及びサービスしていない基地局１１２との間の通信が、そのような通信に使用される各種の通信チャネルの特定の説明とともに、より詳細にここに説明される。図示された例を続けて、下記の説明は、ＣＤＭＡ−２０００（リリースＣ）の関係で行われる。
【００２９】
上に述べられたように、パケット・データは、サービスしている基地局１１０によってのみ移動通信装置１１４にダウンロードされる。これは、順方向パケット・データ・チャネル（forward packet data channel）（Ｆ−ＰＤＣＨ）１２２を介して発生する。装置１１４は、サービスしている基地局１１０であるかサービスしていない基地局１１２であるかに拘らず、パケット・データを自身のアクティブ・セット中のいずれかの基地局にアップロードする。この送信は、逆方向拡張補助チャネル（reverse enhanced supplement channel）（Ｒ−ＥＳＣＨ）１２８を介して発生する。装置１１４が基地局１１０，１１２にパケット・データをアップロードする場合に、それぞれの基地局１１０，１１２は、それぞれの順方向受領通知チャネル（forward acknowledge channel）（Ｆ−ＡＣＫＣＨ）１２６，１２４上に適切なメッセージを送信することによって受領通知する。この例では、受領通知メッセージは、肯定的受領通知（positive acknowledgement）（ＡＣＫ）メッセージ及び否定的受領通知（negative acknowledgement）（ＮＡＫ）メッセージを具備する。ＢＰＫＳ変調の場合には、例えば、ＡＣＫは、＋１の値を具備することができ、そしてＮＡＫは、−１の値を具備する。ＯＮ−ＯＦＦキー操作変調の場合には、例えば、ＡＣＫは、＋１の値を具備し、ＮＡＫは、０の値を具備する。本発明の利益を受ける当業者に明らかなように、これらの値は、逆にされることができる、又はＡＣＫメッセージ及びＮＡＫメッセージを区別するために使用する別のシステムであることがあり得る。
【００３０】
基地局１１０，１１２は、順方向パイロット・チャネル（forward pilot channel）（Ｆ−ＰＩＣＨ）１１６，１１８上にそれぞれのパイロット信号を送信する。自身のサービスしている基地局１１０からのパイロット信号１１６を受信することに応答して、装置１１４は、パイロット信号１１６を評価し、そして逆方向チャネル品質指標チャネル（reverse channel quality indicator channel）（Ｒ−ＣＱＩＣＨ）１２０上で順方向リンク・チャネル品質の評価を提供する。サービスしていない基地局１１２が装置１１４に順方向リンク・パケット・データを送信しないので、Ｒ−ＣＱＩＣＨ１２０は、装置１１４とサービスしていない基地局１１２との間の使用に対して何も提供しない。
【００３１】
上に述べられたように、Ｒ−ＣＱＩＣＨ１２０は、サービスしている基地局１１０と移動通信装置１１４との間に存在するだけである。Ｆ−ＰＤＣＨ１２２上の順方向リンク・パケット・データ・メッセージに加えて、Ｆ−ＡＣＫＣＨ１２６上の順方向リンク受領通知メッセージの送信出力レベルは、Ｒ−ＣＱＩＣＨ１２０上のチャネル測定情報にしたがって設定される。類似の情報は、サービスしていない基地局１１２に対しては利用可能でなく、Ｆ−ＡＣＫＣＨ１２４上のメッセージに対して送信出力を的確に設定するために基地局１１２に対して目標を与える。
【００３２】
図３は、サービスしていない基地局１１２が移動通信装置１１４から（Ｒ−ＥＳＣＨ１２８上で）受信したパケット・データを受領通知する（Ｆ−ＡＣＫＣＨ１２４上の）メッセージに関する送信出力レベルを設定するための１つの具体例のシーケンス３００を図示する。特に、図３は、サービスしていない基地局の順方向リンクＡＣＫ／ＮＡＫメッセージに対する送信出力を調整するためのハンドシェーキング・イベント（handshaking events）の（又はそうでない）進行（progression）を利用するための第１の具体例のシーケンスを説明するフローチャートである。何らかの意図された制限なしに、シーケンス３００は、図１からのネットワーク１００の関係で説明され、ＣＤＭＡ−２０００（リリースＣ）のプロトコル及びアーキテクチャを使用する。
【００３３】
ブロック３０１において、サービスしていない基地局１１２は、Ｒ−ＥＳＣＨ１２８を介して移動通信装置１１４から逆方向リンク・パケット・データを受信するために待機する。このデータが正確に受信された時に、サービスしていない基地局１１２は、移動通信装置１１４にＦ−ＡＣＫＣＨ１２４を介してブロック３０２においてＡＣＫメッセージを送信する。しかしながら、このデータが正確に受信されなかったのであれば、サービスしていない基地局１１２は、サービスしていない移動通信装置１１４にＦ−ＡＣＫＣＨ１２４を介してブロック３０２においてＮＡＫメッセージを送る。
【００３４】
ＡＣＫメッセージがブロック３０２において送られたのであれば、サービスしていない基地局１１２は、次のパケットを待ち、移動通信装置１１４がＲ−ＥＳＣＨ１２８を介していずれかのパケット・データを引き続いて返信したかどうかを決定する（ブロック３１６）。移動通信装置１１４が何もパケット・データを返信しないのであれば、ブロック３０２のＡＣＫメッセージが移動通信装置１１４において的確に受信されたこと、及びその移動通信装置１１４が送信する準備ができている追加のパケット・データを何も持たないことが、サービスしていない基地局１１２によって推測される。この特別な場合には、移動通信装置１１４がブロック３０２においてＡＣＫメッセージを的確に受信しているという結果から、サービスしていない基地局１１２は、自身の今後のＡＣＫ／ＮＡＫメッセージに関する送信出力を調節する必要がない（ブロック３１８）。別の実施形態では、サービスしていない基地局１１２は、事前に決められた量だけＡＣＫ／ＮＡＫメッセージ送信出力を減少させることができる。この量は、ＡＣＫ／ＮＡＫ送信出力を増加させるための量よりも少ない量又は少ない頻度で適用されることができる（これは下記に詳細に説明される）。その量だけサービスしていない基地局１１２がＡＣＫ／ＮＡＫメッセージ送信出力を減少できる事前に決められた量は、（ワット、ｄＢ、等で）一定の減少量、送信出力の割合、又は適切なアルゴリズムによって決定された任意のその他の量を含むことができる。ブロック３１８の後で、サービスしていない基地局１１２は、移動通信装置１１４からＲ−ＥＳＣＨ１２８を経由してブロック３０１においてさらなる逆方向リンク・データを受信するように待機する。
【００３５】
サービスしていない基地局１１２がブロック３１６において移動通信装置１１４からパケット・データを受信するのであれば、サービスしていない基地局１１２は、ブロック３２０において、このデータが移動通信装置１１４によって送信された新たなデータであるか最後のデータの繰り返しであるかどうかを決定する。送信されたデータが新しいのであれば、ブロック３０２のＡＣＫメッセージが移動通信装置１１４において的確に受信されたことがサービスしていない基地局１１２によって推論され、そしてサービスしていない基地局１１２は、ブロック３２２における自身の次のＡＣＫ／ＮＡＫメッセージに関して送信出力を調節する必要がない。別の実施形態では、ブロック３１８で行ったように、もし、そうすることを望まれているのであれば、サービスしていない基地局１１２は、予め決められた量だけわずかに今後のＡＣＫ／ＮＡＫメッセージの送信出力を減少させることができる。
【００３６】
ブロック３２２の後で、サービスしていない基地局１１２は、移動通信装置１１４にＡＣＫメッセージ（パケットが正確に受信された場合）又はＮＡＫメッセージ（パケットが正確に受信されず再送信を必要とする場合）を送る。いずれの場合でも、このＡＣＫメッセージ又はＮＡＫメッセージの出力レベルは、（出力調整が行われることを与える）ブロック３２２の送信出力調整を組み込む。
【００３７】
データが移動通信装置１１４により再送信に対応する（すなわち、送信されたデータが新しくない）ことがブロック３２０において決定されるのであれば、移動通信装置１１４がブロック３０２の基地局１１２のＡＣＫメッセージを的確に受信しなかったことが、サービスしていない基地局１１２によって推定される。この場合には、サービスしていない基地局１１２は、事前に決められた量だけ、今後のＡＣＫ／ＮＡＫメッセージに対する送信出力を増加させる。この量は、一定の増加量（ワット、ｄＢ、等で）、送信出力の割合、若しくは適切なアルゴリズムによって決定された任意のその他の量を含むことができる。１つの実施形態では、ブロック３２４において実行された送信出力の増加量は、ブロック３１８又はブロック３２２において実行されることがあり得る送信出力の減少量よりも実質的に大きいことがある。これは、結果として移動通信装置１１４に到達しなくなるまでＡＣＫ／ＮＡＫ送信出力を徐々に減少させることになり、そしてその後、大きな余裕量だけ跳ね上がる。このアプローチは、増加量と減少量との間の比率に依存するＡＣＫ／ＮＡＫ送信に関する選択可能な失敗／成功比率を使用可能にする。
【００３８】
ブロック３２４において、送信出力を増加した後で、サービスしていない基地局１１２は、ブロック３０２においてＡＣＫメッセージ（パケットが正確に受信された場合）又はＮＡＫメッセージ（パケットが正確に受信されなかった場合）を送る。いずれの場合でも、このＡＣＫメッセージ又はＮＡＫメッセージの出力レベルは、ブロック３２４において実行された増加された送信出力調節を取り込む。
【００３９】
ブロック３０１において移動通信装置１１４からデータを正確に受信することに失敗した後で、サービスしていない基地局１１２がブロック３０２においてＮＡＫメッセージを送る時、手順はブロック３０６に進む。そこでは、サービスしていない基地局１１２は、移動通信装置１１４がブロック３０２のＮＡＫメッセージの後でＲ−ＥＳＣＨ１２８を介していずれかのパケット・データを返信したかどうかを決定する。ブロック３０６の問い合わせは、数秒又は数分又は複数の非パケット・データ通信が移動通信装置１１４から受信されるまでの間隔のようなイベント待ち方式の時間の期間のような規定された時間の期間に限定されることができる、あるいは、基地局がＮＡＫメッセージを送る時間から移動通信装置１１４がパケットを再送信するために応答する時間までのタイミングが事前に知られるのであれば、ブロック３０６の問い合わせは、事前に決められた時間において管理されることができる。もし移動通信装置１１４が適切な時間の期間又は時間に何もパケット・データを返信しないのであれば、１つの可能性は、ブロック３０２のＮＡＫメッセージが移動通信装置１１４において的確に受信されなかったことである、そうでなければ、パケット・データは、再送信されるはずである。別の１つの可能性は、サービスしている基地局１１０（又は、もしあるならばその他のサービスしていない基地局）がパケット・データを正確に受信し、それ自身のＡＣＫメッセージを用いて移動通信装置１１４に受領を正しく通知したことである。第１の場合では、サービスしていない基地局１１２は、ブロック３０８において今後のＡＣＫ／ＮＡＫメッセージの送信出力を増加させるはずである。第２の場合では、ブロック３０２のＮＡＫメッセージが移動通信装置１１４において的確に受信されたかどうかに応じて、ブロック３０８において今後のＡＣＫ／ＮＡＫ送信出力を増加させる必要がないことがある。
【００４０】
１つの実施形態にしたがって、ブロック３０２のＮＡＫメッセージが移動通信装置１１４において的確に受信され、そしてネットワーク１００内の別の１つの基地局がデータを受信し、かつブロック３０２においてＮＡＫメッセージを用いてサービスしていない基地局１１２によって受領通知されなかったＡＣＫメッセージを用いて送信されたデータを受領通知したとサービスしていない基地局１１２が仮定した結果、サービスしていない基地局１１２は、ブロック３０８において今後のＡＣＫ／ＮＡＫメッセージの送信出力を増加させないことがあり得る。他の１つの実施形態では、サービスしていない基地局１１２は、ブロック３０８において今後のＡＣＫ／ＮＡＫメッセージに対する送信出力を蓋然的に増加させることができる。１つの実施形態では、サービスしていない基地局１１２は、ある確率で今後のＡＣＫ／ＮＡＫメッセージに対する自身の送信出力を増加させること、及びそれ以外は変化させないで今後のＡＣＫ／ＮＡＫメッセージに対する自身の送信出力を維持することを決定する。このアプローチの下で、例えば、確率が５０％であるならば、サービスしていない基地局１１２は、５０％の確率でブロック３０８においてＡＣＫ／ＮＡＫメッセージに対する送信出力を増加させるだけであり、それ以外は送信出力を増加させない。別の１つの例では、パケット・データが、正確に受信されているＮＡＫメッセージを介してサービスしていない基地局１１２によって否定的に受領通知されるが、ＡＣＫメッセージを介してあるその他の基地局によって肯定的に受領通知される可能性を見積もることによって、確率は決定されることができる。この確率は、例えば、ネットワーク１００のその他の基地局とログ・データを交換しているサービスしていない基地局１１２によって見積もられることができ、その後サービスしていない基地局１１２により否定的に受領通知される（すなわち、ＮＡＫされる）が、ネットワーク１００内のある種のその他の基地局によって肯定的に受領通知される（すなわち、ＡＣＫされる）メッセージの過去の発生を考慮する。１つの実施形態では、ネットワーク１００内部の全ての基地局は、それら自身の間でログ・データを交換するように通信する。別の１つの実施形態では、ネットワーク１００の複数の基地局は、基地局コントローラ１０６又はネットワーク１００内部のその他の体系的に上位のユニット又は一般的にアクセス可能なユニットと通信でき、これらのユニットは、確率を計算すること及びネットワーク１００内部のある基地局又は全ての基地局にこの情報を分配させることの責めを負う。このアプローチの下で、サービスしていない基地局１１２によってＮＡＫされた逆方向リンク・パケット・データの３５％が、ネットワーク１００の少なくとも１つの別の基地局により実際にＡＣＫされたことを、サービスしていない基地局１１２が決定するのであれば、サービスしていない基地局１１２は、（ブロック３０８において）６５％の確率で自身の送信出力を増加させ、ブロック３０８において３５％の確率で自身の送信出力を増加させないはずである。サービスしていない基地局１１２は、上記でブロック３２４に対して説明されたような同じ方式で、ブロック３０８において自身のＡＣＫ／ＮＡＫメッセージに対する送信出力を増加させることができる。ブロック３０８の後で、シーケンスは、ブロック３０２に戻り、そこでは、サービスしていない基地局１１２が移動通信装置１１４に別の１つのＮＡＫメッセージを送る。
【００４１】
あるいは、サービスしていない基地局１１２がブロック３０６において移動通信装置１１４からデータを必ず受信するのであれば、受信されたデータが新しいか又は移動通信装置１１４によって送信された最後のデータの再送信であるかどうかを、サービスしていない基地局１１２は決定する（ブロック３１０）。受信されたパケット・データが新しいパケットであるか又は再送信であるかどうかをサービスしていない基地局１１２が決定できる複数の方法があり得る。１つの技術は、Ｒ−ＥＳＣＨ１２８上に送信されたパケット、これは、Ｒ−ＲＩＣＨ（Reverse Rate Indicator Channel）１３０を介して（又は、他のチャネルを介して）伝達されることができる、に関係する制御情報を見ようとすることができる。受信されたパケット・データが新しいパケットであるか又は再送信であるかどうかを決定するための他の複数の技術は、本発明の利益を受ける当業者に容易に明らかになる。
【００４２】
移動通信装置１１４から受信されたデータが新しいことがブロック３０６において決定されるのであれば、ブロック３０２のＮＡＫメッセージは、移動通信装置１１４において的確に受信されなかった可能性があり、そうでなければ、移動通信装置１１４は、既にＮＡＫされた同じデータを再送信するはずである。あるいは、代わりに、サービスしていない基地局１１２によってＮＡＫされた逆方向リンク・パケット・データは、サービスしている基地局１１０により又はネットワーク１００のある別のサービスしていない基地局により肯定的に受領された。このようにして、サービスしていない基地局１１２は、今後のＡＣＫ／ＮＡＫメッセージ送信に関する自身の送信出力レベルを調節しないように選択できる、又はパケットがサービスしていない基地局１１２によってＮＡＫされたが、ネットワーク１００中のある別の基地局によってＡＣＫされたという過去の事例に応じたある確率に基づいて送信出力を増加させるように選択することができる（ブロック３１４）。この場合には、ブロック３１４は、ブロック３０８において実行されたように送信出力を増加させるかどうかに関する同じ解析を使用でき、そして判断が出力を増加させるようになされるのであれば、送信出力を増加させる同じ方式を使用できる。ブロック３１４の後で、サービスしていない基地局１１２は、ブロック３０２に戻り、新しいパケットが正確に受信されるのであれば移動通信装置１１４にＡＣＫメッセージを送信する、そして新しいパケットがサービスしていない基地局１１２によって正確に受信されず再送信されることを必要とするならばＮＡＫを送信する。
【００４３】
しかしながら、逆方向リンク・パケット・データが移動通信装置１１４の以前の送信の繰り返しであるならば、移動通信装置１１４が（ブロック３１２において）ブロック３０２のサービスしていない基地局１１２のＮＡＫメッセージを的確に受信したことが示される。この場合には、サービスしていない基地局１１２は、ＡＣＫ／ＮＡＫ送信出力を変更する必要がない、若しくはブロック３１８及び３２２に関係して以前に説明したように送信出力をわずかに減少させることができる。ブロック３１２の後で、サービスしていない基地局１１２は、ブロック３０２に戻り、新しいパケットが正確に受信されるのであれば移動通信装置１１４にＡＣＫメッセージを送信する、そして新しいパケットがサービスしていない基地局１１２によって正確に受信されず再送信されることを必要とするならばＮＡＫメッセージを送信する。
【００４４】
図４は、サービスしていない基地局１１２が、移動通信装置１１４からパケット・データの受領を通知するメッセージを送信するための出力レベルを設定するためのシーケンス４００を図示する。特に、図４は、基地局順方向リンクＡＣＫ／ＮＡＫメッセージに関する送信出力を調整するための具体例のシーケンスを図示するフローチャートであり、参照値としてサービスしている基地局１１０の実際の送信出力又は推定された送信出力を使用する。何の意図された制限なしに、シーケンス４００は、図１からのネットワーク１００の関係で説明され、ＣＤＭＡ−２０００（リリースＣ）のプロトコル及びアーキテクチャを使用する。
【００４５】
ブロック４０２において、サービスしていない基地局１１２は、パラメータ、インデックス、サブコンポーネント、又は移動体１１４へ送信のサービスしている基地局１１０の信号強度に関係して変化するその他の数字のうちの１つ又はそれより多くの記録を取得する。説明の目的で、これは、“送信パラメータ”として呼ばれることができる。ブロック４０２において取得された記録は、所定の時間の期間にわたりサービスしている基地局１１０の送信パラメータを提供する。
【００４６】
１つの実施形態では、送信パラメータは、例えば、あるタイプの過去のメッセージを送るために使用したサービスしている基地局１１０の実際の送信信号強度を含むことができる。例えば、この送信パラメータは、移動通信装置１１４にＡＣＫ／ＮＡＫ信号又は順方向リンク・パケット・データを送信するために自身の過去のレベルのサービスしている基地局１１０の自身の記録から取得されることができる、若しくはサービスしている基地局１１０の送信信号強度は、この情報及び／又はその他の情報を使用して導き出されることができる。別の１つの例では、送信パラメータは、チャネルＲ−ＣＱＩＣＨ１２０を介して移動通信装置１１４によって返信された複数の過去のチャネル測定値を組み込む信号強度測定値を含む。例えば、これは、Ｒ−ＣＱＩＣＨ１２０を介して移動通信装置１１４からサービスしている基地局１１０へのチャネル品質指標（channel quality indicator）（ＣＱＩ）フィードバックを含むことができる。いずれの場合でも、ブロック４０２は、例えば、ＢＳＣ１０６に、又はＢＳＣ１０６を介してサービスしている基地局１１０に適切な要求を指示するサービスしていない基地局１１２によって実現されることができる。
【００４７】
ブロック４０４において、サービスしていない基地局１１２は、所定の時間の期間にわたる移動通信装置１１４への（実際の又は推定された）基地局の送信出力の平均を算出するために“送信パラメータ”を利用する。この所定の時間の期間は、例えば、直近の１０秒、１分、又は別の有用な時間枠を具備することができる。この時間の期間を選択するためのある複数の指針は、例えば、移動通信装置１１４からのＣＱＩフィードバックから推定されることができるフェーディング特性、移動通信装置１１４の速度、等を含むことができる。
【００４８】
ブロック４０４の１つの実施形態では、そこではサービスしている基地局１１０の過去の送信信号強度がブロック４０２においてサービスしている基地局１１０から取得される（そしてこれは、“送信パラメータ”を構成する）、ブロック４０４は、移動通信装置１１４へのサービスしている基地局１１０の実際の順方向リンク送信信号強度の平均を算出するためにこの数値を利用する。他の１つの実施形態では、そこではＣＱＩフィードバックがブロック４０２においてサービスしている基地局１１０から取得される（そしてこれは、“送信パラメータ”を構成する）、ブロック４０４は、サービスしている基地局の送信出力を推定することにより及び所定の時間の期間にわたりこの数値を平均することによって実行される。サービスしている基地局１１０の送信出力は、Ｒ−ＣＱＩＣＨチャネル１２０を介して報告された移動通信装置１１４からサービスしている基地局１１０へのＣＱＩフィードバックよって“受信された出力要求”を削減することによって推定される。受信された出力要求は、通常は、移動通信装置１１４においてＡＣＫ／ＮＡＫメッセージのある種の信頼できる受領を取得するための最低の信号品質要求を表している一定の数である。ＣＤＭＡ−２０００及びその他のシステムにおいて、受信された出力要求及びその他のシステム・パラメータは、ワイアレス・システムが初めに配置されたときに、決定される。その上、受信された出力要求は、更新される又は調整され、そして個々の基地局のそのような更新を知らせるためにネットワーク全体に伝播されることができる。
【００４９】
ブロック４０４においてサービスしている基地局１１０の平均送信出力を算出した後で、サービスしていない基地局１１２は、ブロック４０６において予め規定された量だけ算出された平均を調節する。これは、一定の数又は可変数を加算する又は引き算すること、１つ又はそれより多くの係数を掛け算すること、等によって実現される。結果は、“目標の”送信出力レベルである。より特殊な例では、ブロック４０４からの平均送信出力レベルは、予め規定されたマージン（又は“変化量”）を加算することによって調節される。このマージンは、移動通信装置のアクティブ・セットの中で最も強い基地局の平均順方向リンク・チャネル品質と最も弱い基地局のそれとの間のネットワークに固有の最大の差異を具備する。この例では、平均送信出力及び予め規定されたマージンの両者は、デシベルで表される。マージンは、（ブロック４０４からの）サービスしている基地局における送信出力の算出された平均に加算される。その理由は、（基地局１１２がサービスしていない基地局の役割を有するので）、サービスしていない基地局１１２の信号は、移動通信装置１１４においてより弱く、そしてそれ故、移動通信装置１１４において所望の出力を実現するためにより多くの電力を必要とするからである。
【００５０】
上記に説明されたように、ブロック４０２−４０６は、サービスしていない基地局１１２によって実行される。代案として、これらのブロックは、下記にさらに説明されるようにそのさらなる使用（ブロック４０８）のためにサービスしていない基地局１１２に最終的に中継される算出された目標送信レベルで、サービスしている基地局１１０、ＢＳＣ１０６、又はサービスしていない基地局１１２の外部の別のエンティティによって実行されることができる。
【００５１】
ブロック４０６の後で、サービスしていない基地局１１２が移動通信装置１１４からパケット・データの受領を通知するＡＣＫメッセージ、ＮＡＫメッセージ、又はその他のメッセージのいずれかを送信する時はいつでも、サービスしていない基地局１１２は、ブロック４０８において目標送信出力レベルを利用する。サービスしていない基地局１１２は、目標の送信出力レベルが新しいデータにしたがって算出されることを確実にするために充分な定期的な段取り（schedule）、不定期な段取り、又はその他の段取りにしたがって、（繰り返しループ４１０によって示されるように）ブロック４０２−４０６を繰り返すことができる。さらなる例のように、サービスしていない基地局１１２は、予め規定された遅延幅及び時間幅の変化しているウィンドウに基づいて目標送信出力を繰り返して算出することができる。さらに別の１つの例のように、サービスしていない基地局１１２は、本発明の精神及び範囲から逸脱することなく、送信されようとしている各ＡＣＫ／ＮＡＫメッセージに対して、１つおきのＡＣＫ／ＮＡＫメッセージに対して、２つおきのものに対して、等に対してブロック４０２−４０６の解析を繰り返すことができる。
【００５２】
情報及び信号が、多様な異なる技術及び技法のいずれかを使用して表わされる可能性があることを、当業者は、理解する。例えば、上記の説明の全体を通して参照される可能性がある、データ、指示、命令、情報、信号、ビット、シンボル、及びチップは、電圧、電流、電磁波、磁場又は磁力粒子、光場又は光粒子、若しくはこれらの任意の組み合わせによって表わされることができる。
【００５３】
本明細書中に開示された実施形態に関連して説明された各種の解説的な論理ブロック、モジュール、回路、及びアルゴリズムのステップが、電子ハードウェア、コンピュータ・ソフトウェア、若しくは両者の組み合わせとして与えられることができることを、当業者は、さらに価値を認めるはずである。ハードウェアとソフトウェアのこの互換性を明確に説明するために、各種の解説的な構成要素、ブロック、モジュール、回路、及びステップが、それらの機能性の面から一般的に上記に説明されてきている。そのような機能性が、ハードウェア又はソフトウェアとして与えられるかどうかは、固有のアプリケーション及びシステム全体に課せられた設計の制約に依存する。熟練した職人は、述べられた機能性を各々の固有のアプリケーションに対して違ったやり方で実施することができる。しかし、そのような実施の判断は、本発明の範囲からの逸脱を生じさせるように説明されるべきではない。
【００５４】
本明細書中に開示された実施形態に関連して述べられた、各種の解説的な論理ブロック、モジュール、及び回路は、汎用プロセッサ、ディジタル・シグナル・プロセッサ（digital signal processor）（ＤＳＰ）、用途特定集積回路（application specific gate array）（ＡＳＩＣ）、フィールド・プログラマブル・ゲートアレイ（field programmable gate array）（ＦＰＧＡ）若しくはその他のプログラマブル・ロジック・デバイス、ディスクリート・ゲート・ロジック又はトランジスタ・ロジック、ディスクリート・ハードウェア素子、若しくは本明細書中に説明された機能を実行するように設計されたこれらのいずれかの組み合わせで、与えられる又は実行されることができる。汎用プロセッサは、マイクロプロセッサである可能性があるが、しかし代わりに、プロセッサは、いずれかの従来型のプロセッサ、コントローラ、マイクロコントローラ、又はステート・マシン(state machine)である可能性がある。プロセッサは、演算装置の組み合わせとして与えられることができる。例えば、ＤＳＰとマイクロプロセッサの組み合わせ、複数のマイクロプロセッサの組み合わせ、ＤＳＰコアと結合した１つ又はそれ以上のマイクロプロセッサの組み合わせ、若しくはいずれかの他のそのような構成の組み合わせである可能性がある。
【００５５】
本明細書中に開示された実施形態に関連して説明された方法のステップ又はアルゴリズムのステップは、ハードウェアにおいて、プロセッサにより実行されるソフトウェア・モジュールにおいて、又は両者の組み合わせにおいて直接実現されることができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、脱着可能なディスク、ＣＤ−ＲＯＭ、若しくは、この技術において知られている他のいずれかの記憶媒体の中に常駐できる。ある具体例の記憶媒体は、プロセッサが記憶媒体から情報を読み出し、そこに情報を書き込めるようにプロセッサと接続される。代案では、記憶媒体は、プロセッサに集積されることができる。プロセッサ及び記憶媒体は、ＡＳＩＣ中に常駐できる。
【００５６】
その上、開示された実施形態のこれまでの説明は、本技術に知識のあるいかなる者でも、本発明を作成し、使用することを可能にするために提供される。これらの実施形態への各種の変形は、当業者に容易に明白にされるであろう。そして、ここで規定された一般的な原理は、本発明の精神又は範囲から逸脱することなく、その他の実施形態に適用されることができる。それゆえ、本発明は、本明細書中に示された実施形態に制限することを意図したものではなく、本明細書中に開示した原理及び新規な機能と整合する最も広い範囲に適用されるものである。
【００５７】
用語“具体例の”は、“例、事例、又は実例として働くこと”を意味するように本明細書中では使用される。“具体例の“として本明細書中で記載されたいずれかの実施形態が、その他の実施形態に対して好ましい又は優位であるとして解釈される必要はない。
【図面の簡単な説明】
【００５８】
【図１】図１は、本発明の１実施形態にしたがって基地局ＡＣＫ／ＮＡＫメッセージ送信出力を調節するワイアレス通信ネットワークのブロック図である。
【図２】図２は、１実施形態にしたがった具体例のディジタル・データ処理機器のブロック図である。
【図３】図３は、本発明の１実施形態にしたがってサービスしていない基地局の順方向リンクＡＣＫメッセージに対する送信出力を調節するための第１の具体例のシーケンスを説明するフローチャートである。
【図４】図４は、本発明の他の１つの実施形態にしたがってサービスしていない基地局の順方向リンクＡＣＫメッセージに対する送信出力を調節するための第２の具体例のシーケンスを説明するフローチャートである。
【符号の説明】
【００５９】
１００…ワイアレス通信ネットワーク，１１２Ｅ…アンテナ・アセンブリ，２００…ディジタル・データ処理装置，３００…送信出力レベルを設定するための１例のシーケンス，４００…出力レベルを設定するためのシーケンス。
【図１】
2007502052.tif 000003
【図２】
2007502052.tif 000004
【図３】
2007502052.tif 000005
【図４】
2007502052.tif 000006
【国際調査報告】
2007502052.tif 000007
2007502052.tif 000008